(57)【要約】  この発明は、容器の密封性の向上を図ることができ、容器の内容物が炭酸飲料であるなど容器の内圧が高くなる場合に用いて好適なキャップ（１）及びこのキャップを備えた容器（２）を提供する。  この発明は、天壁（６）及びこの天壁（６）の外周部から垂下するスカート壁（７）を有し、容器口部（３）の雄ねじ（１０）に螺合する雌ねじ（９）が前記スカート壁（７）に形成されたキャップ本体（４）と、前記容器口部（３）を密封する合成樹脂製のパッキン（５）とを備え、前記パッキン（５）は、前記容器口部（３）の先端部分に当接してこれを覆う天板（１７）と、この天板（１７）から垂下し、前記容器口部（３）の内周面に密着する環状の中足（１８）とを備え、また、前記天板（１７）の外周縁に、天板（１７）に対して下方へ折れ曲がり、その内周面が容器口部（３）の外周面を覆う環状の折曲部（１９）が連設され、さらに、前記キャップ本体（４）は、閉栓状態において前記パッキン（５）の折曲部（１９）の外周面を付勢する付勢部（２１）を有し、前記付勢を受けた折曲部（１９）は弾性変形して容器口部（３）の外周面に押し付けられるように構成した。
2009096019.tif 000002
【特許請求の範囲】
【請求項１】
天壁及びこの天壁の外周部から垂下するスカート壁を有し、容器口部の雄ねじに螺合する雌ねじが前記スカート壁に形成されたキャップ本体と、前記容器口部を密封する合成樹脂製のパッキンとを備え、
前記パッキンは、前記容器口部の先端部分に当接してこれを覆う天板と、この天板から垂下し、前記容器口部の内周面に密着する環状の中足とを備え、また、前記天板の外周縁に、天板に対して下方へ折れ曲がり、その内周面が容器口部の外周面を覆う環状の折曲部が連設され、
さらに、前記キャップ本体は、閉栓状態において前記パッキンの折曲部の外周面を付勢する付勢部を有し、前記付勢を受けた折曲部は弾性変形して容器口部の外周面に押し付けられるように構成したことを特徴とするキャップ。
【請求項２】
前記パッキンの折曲部の外周面は下方に向かって外広がりに傾斜しているとともに、前記キャップ本体の付勢部は、閉栓状態において折曲部を下向きに付勢する請求項１に記載のキャップ。
【請求項３】
前記折曲部の下端が、前記中足の外周面に形成された膨出部分の起伏開始点から最大径部までの間に位置するように構成してある請求項１または２に記載のキャップ。
【請求項４】
前記付勢部は、前記天壁の下面からスカート壁の内面にかけて設けられたキャップ本体の内側に突出する突出部分である請求項１〜３のいずれかに記載のキャップ。
【請求項５】
前記パッキンの天板の上面が、その中央部に設けられた凹入部を除いて面一となっている請求項１〜４のいずれかに記載のキャップ。
【請求項６】
キャップ本体が合成樹脂製であり、
前記スカート壁の下部に破断可能なブリッジを介してタンパーエビデンスバンドを連結してあるとともに、
前記タンパーエビデンスバンドの下部から内向き上方に向かって延びる係止片をタンパーエビデンスバンドに連設してあり、
また、前記容器口部における前記雄ねじの下側に、容器口部に対する装着時に前記係止片が弾性変形して乗り越え装着後は弾性復帰した係止片が係止するストッパを設けてあり、
さらに、前記中足の外周面に膨出部分が形成され、
前記容器口部の内周面において閉栓状態時に前記膨出部分が最も強く当接する位置が、容器口部の先端から２．０〜２．５ｍｍ下側に存在するように構成してある請求項１〜５のいずれかに記載のキャップ。
【請求項７】
前記パッキンが、亜硫酸ナトリウムを含有する請求項１〜６のいずれかに記載のキャップ。
【請求項８】
前記キャップ本体の天壁の肉厚が、１．０ｍｍ以上である請求項１〜７のいずれかに記載のキャップ。
【請求項９】
請求項１〜８のいずれかに記載のキャップが口部に装着された容器。
【請求項１０】
炭酸飲料を収容する請求項９に記載の容器。
【請求項１１】
ガスバリア層を設けてある請求項９または１０に記載の容器。
【発明の詳細な説明】
【技術分野】
【０００１】
この発明は、例えば、種々の飲料（炭酸ガスの有無、アルコールの有無等を問わない）を収容する容器の口部に対して取り付けられ、キャップ本体とパッキンとを備えたツーピース構造のキャップ及びこのキャップを備えた容器に関する。
【背景技術】
【０００２】
従来のツーピース構造のキャップとして、例えば特許文献１に開示されたものがあり、これを図７に示す。すなわち、このキャップは、キャップ本体４とパッキン５とからなる。そして、キャップ本体４は、天壁６及びこの天壁６の外周部から垂下するスカート壁７を有し、容器口部３の雄ねじ１０に螺合する雌ねじ９が前記スカート壁７に形成されたキャップ本体４と、前記容器口部３を密封する合成樹脂製のパッキン５と、前記スカート壁７の下部に破断可能なブリッジ１２を介して連結されたタンパーエビデンスバンド１３とを備えている。【０００３】
また、前記パッキン５は、前記容器口部３の先端部分３ａに当接してこれを覆う天板１７と、この天板１７から垂下し、前記容器口部３の内周面３ｂに密着する環状の中足１８とを備えている。さらに、前記天板１７の外周縁に、天板１７に対して下方へ折れ曲がり、その外周面が外広がりに傾斜した環状の折曲部１９が連設されている。【０００４】
上記キャップでは、容器が低温（例えば４〜５℃）で保管されていた場合でも、ドーミング現象に起因する容器内部の気密漏れを防止することができる。これは、ドーミング現象が生じた場合に、キャップ本体４の周壁の上端部が中心に向かって収縮するので、パッキン５の外周縁に容器口部３の中心方向に向かう押圧力が加わり、この押圧力によってパッキン５の折曲部１９が容器口部３の外周面３ｃに押し付けられるためである。【０００５】
【特許文献１】特許第３９３６４８７号公報
【発明の開示】
【発明が解決しようとする課題】
【０００６】
しかし、上記従来のキャップでは、例えばキャップ本体４の天壁６の肉厚が大きくドーミング現象が発生しない場合には、折曲部１９が容器口部３の外周面３ｃに押し付けられず、容器２の内圧によっては前記気密漏れが生じるおそれがある。【０００７】
本発明は上述の実情に鑑みてなされたもので、その目的は、容器の密封性の向上を図ることができ、例えば容器の内容物が炭酸飲料であるなど容器の内圧が高くなる場合に用いて好適なキャップ及びこのキャップを備えた容器を提供することにある。
【課題を解決するための手段】
【０００８】
上記目的を達成するために、本発明に係るキャップは、天壁及びこの天壁の外周部から垂下するスカート壁を有し、容器口部の雄ねじに螺合する雌ねじが前記スカート壁に形成されたキャップ本体と、前記容器口部を密封する合成樹脂製のパッキンとを備え、
前記パッキンは、前記容器口部の先端部分に当接してこれを覆う天板と、この天板から垂下し、前記容器口部の内周面に密着する環状の中足とを備え、また、前記天板の外周縁に、天板に対して下方へ折れ曲がり、その内周面が容器口部の外周面を覆う環状の折曲部が連設され、
さらに、前記キャップ本体は、閉栓状態において前記パッキンの折曲部の外周面を付勢する付勢部を有し、前記付勢を受けた折曲部は弾性変形して容器口部の外周面に押し付けられるように構成したことを特徴としている（請求項１）。【０００９】
また、上記キャップにおいて、前記パッキンの折曲部の外周面は下方に向かって外広がりに傾斜しているとともに、前記キャップ本体の付勢部は、閉栓状態において折曲部を下向きに付勢するように構成してあってもよい（請求項２）。【００１０】
ここで、前記折曲部の下端が、前記中足の外周面に形成された膨出部分の起伏開始点から最大径部までの間に位置するように構成してあってもよい（請求項３）。【００１１】
また、前記付勢部は、前記天壁の下面からスカート壁の内面にかけて設けられたキャップ本体の内側に突出する突出部分であってもよい（請求項４）。【００１２】
また、前記パッキンの天板の上面が、その中央部に設けられた凹入部を除いて面一となっていてもよい（請求項５）。【００１３】
また、キャップ本体が合成樹脂製であり、
前記スカート壁の下部に破断可能なブリッジを介してタンパーエビデンスバンドを連結してあるとともに、
前記タンパーエビデンスバンドの下部から内向き上方に向かって延びる係止片をタンパーエビデンスバンドに連設してあり、
また、前記容器口部における前記雄ねじの下側に、容器口部に対する装着時に前記係止片が弾性変形して乗り越え装着後は弾性復帰した係止片が係止するストッパを設けてあり、
さらに、前記中足の外周面に膨出部分が形成され、
前記容器口部の内周面において閉栓状態時に前記膨出部分が最も強く当接する位置が、容器口部の先端から２．０〜２．５ｍｍ下側に存在するように構成してあってもよい（請求項６）。【００１４】
また、前記パッキンが、亜硫酸ナトリウムを含有していてもよい（請求項７）。【００１５】
また、前記キャップ本体の天壁の肉厚が、１．０ｍｍ以上であってもよい（請求項８）。【００１６】
一方、本発明の容器は、請求項１〜８のいずれかに記載のキャップが口部に装着されたものである（請求項９）。【００１７】
そして、上記容器に、炭酸飲料を収容することができる（請求項１０）。【００１８】
また、上記容器の全体にわたってガスバリア層を設けてもよい（請求項１１）。
【発明の効果】
【００１９】
請求項１〜１１に係る発明では、容器の密封性の向上を図ることができ、例えば容器の内容物が炭酸飲料であるなど容器の内圧が高くなる場合に用いて好適なキャップ及びこのキャップを備えた容器が得られる。【００２０】
すなわち、請求項１、２に係る発明では、キャップ本体の付勢部によって付勢を受けた折曲部は弾性変形して容器口部の外周面に押し付けられ、容器口部に対する折曲部の嵌合を大いに強めることができるので、密封性の向上を図ることができる。【００２１】
また、請求項３に係る発明では、容器口部に対するパッキンの嵌着具合を好適化することが容易となる。これは、折曲部が短く、折曲部の下端が膨出部分の基端に達しないほどであると、容器口部に対するパッキンの着脱はスムーズに行えても閉栓状態における容器の密封性が不十分となり、逆に、折曲部が長く、折曲部の下端が膨出部分の最大径部を越えるほどであると、閉栓状態における容器の密封性は十分となっても容器口部に対するパッキンの着脱がスムーズに行えなくなるおそれがあるからである。【００２２】
請求項４に係る発明では、付勢部の構造がシンプルであり、従来のキャップ本体の構造を若干変更するだけでよいので、本発明のキャップを安価かつ容易に得ることができる。  【００２３】
また、請求項５に係る発明では、以下のような効果が得られる。すなわち、図７に示す従来のキャップでは、前記パッキン５の天板１７に環状凹入部５０や薄肉部５１が設けられているので、開栓時にタンパーエビデンスバンド１３のブリッジ１２が破断した際の衝撃がパッキン５に伝わり難くなっている。そのため、前記衝撃によって容器口部３からのパッキン５の離脱が促されず、容器口部３にパッキン５が残留し、このパッキン５からキャップ本体４の天壁６が開栓操作によって離れた後、容器２の内圧によってパッキン５が吹き飛ばされると、吹き飛ばされたパッキン５がキャップ本体４に衝突して異音を生じさせてしまい、開栓を行っている者を不快、不安にさせるおそれがある。【００２４】
しかし、請求項５に係る発明のキャップでは、天板上面を略面一としたことにより、上記衝撃を利用して容器口部からのパッキンの離脱を促すことができ、開栓時の異音の発生を防止することができる。【００２５】
請求項６に係る発明では、リーク角度（未開封状態のキャップの開栓開始時からリーク時までのキャップ本体の回転量）が１７０°〜２５０°となり、ブリッジブレーク角度（未開封状態のキャップの開栓開始時からブリッジの破断時までのキャップ本体の回転量）は通常百数十度であるので、高いタンパーエビデンス性能が得られる。【００２６】
請求項７に係る発明では、亜硫酸ナトリウムの酸素吸収効果によって、密封後の容器内に残存する酸素を速やかに吸収し、容器の内容物の保存状態を長期間良好に保つことができる。【００２７】
請求項８に係る発明では、キャップ本体の天壁を厚肉化したことにより、ドーミング現象を防止することができる。【００２８】
請求項９、１０に係る発明では、上記種々の効果を奏する容器が得られる。【００２９】
請求項１１に係る発明では、ガスロスの極めて少ない容器が得られる。
【図面の簡単な説明】
【００３０】
【図１】（Ａ）及び（Ｂ）は本発明の一実施の形態に係るキャップ及びこれを備えた容器の要部の構成を概略的に示す斜視図である。
【図２】前記キャップの構成を概略的に示す半縦断面図である。
【図３】前記キャップのパッキンの構成を概略的に示す半縦断面図である。
【図４】（Ａ）〜（Ｃ）は溶存酸素測定方法を概略的に示す説明図である。
【図５】前記溶存酸素測定の結果を概略的に示すグラフである。
【図６】硫酸イオン濃度測定の結果を概略的に示すグラフである。
【図７】従来のキャップの構成を概略的に示す半縦断面図である。
【符号の説明】
【００３１】
１    キャップ
２    容器
３    容器口部
４    キャップ本体
５    パッキン
６    天壁
７    スカート壁
９    雌ねじ
１０    雄ねじ
１２    ブリッジ
１３    タンパーエビデンスバンド
１４    係止片
１７    天板
１８    中足
１９    折曲部
２１    付勢部
【発明を実施するための最良の形態】
【００３２】
以下、本発明の実施の形態について図面を参照しながら説明する。ここで、図１（Ａ）及び（Ｂ）は本発明の一実施の形態に係るキャップ１及びこれを備えた容器２の要部の構成を概略的に示す斜視図、図２は前記キャップ１の構成を概略的に示す半縦断面図（略左右対称となる縦断面の左半分を示す図）、図３は前記キャップ１のパッキン５の構成を概略的に示す半縦断面図（左右対称となる縦断面の左半分を示す図）である。【００３３】
この実施の形態に係るキャップ１は、図１（Ａ）及び（Ｂ）に示すように、キャップ１とは別に製造される容器（例えばペットボトル）２の口部３に装着されるものであり、インジェクション成形またはコンプレッション成形により成形してある。また、キャップ１は、未開封（開栓が一度もされていないこと）を証明する機能を有するピルファープルーフキャップである。【００３４】
一方、前記容器２内に収容する内容物は、ビールである。しかし、内容物はビールに限らず、その他のアルコール飲料（例えばワイン、スパークリングワイン）や炭酸飲料、清涼飲料水等であってもよい。【００３５】
そして、図２に示すように、前記キャップ１はキャップ本体４と前記容器口部３を密封する合成樹脂製のパッキン５とを備えている。ここで、キャップ本体４、パッキン５の素材には、柔軟性に優れるとともに摩擦抵抗が小さい合成樹脂を採用してあり、例えばポリプロピレン（ホモ、ブロック、ランダム等）又はポリエチレン（ＨＤ（高密度）、ＬＬ（Linear Low Density）、ＬＤ（低密度）等）からなるベース樹脂を採用している。【００３６】
前記キャップ本体４は、図１（Ａ）及び図２に示すように、平面視において円形状の天壁６と、この天壁６の外周部から垂下するスカート壁７とを備えている。ここで、スカート壁７の外周面にはローレット溝８を、内周面には雌ねじ９（図２参照）を設けてあり、この雌ねじ９は前記容器口部３の雄ねじ１０に螺合する。尚、雌ねじ９、雄ねじ１０のそれぞれ適宜の位置（両者９，１０の螺着、螺脱操作に支障を来すことのない位置）には縦断溝１１を設けてある。【００３７】
また、スカート壁７の下部には、図１（Ａ）及び図２に示すように、周方向に所定間隔をおいて設けた破断可能な複数のブリッジ１２（図２参照）を介してタンパーエビデンスバンド（以下、単に「バンド」という）１３を連設してあり、このバンド１３の内側には、図２に示すように、バンド１３の下部から内向き上方に向かって延びる複数の係止片１４を設けてある。【００３８】
これに対して、前記容器口部３には、図１（Ｂ）に示すように、容器口部３に対するキャップ１の装着時に前記バンド１３が乗り越え、かつその後はバンド１３の係止片１４が係止してバンド１３の抜けを防止するストッパ１５と、このストッパ１５の下方に位置し、ストッパ１５を乗り越えたバンド１３をストッパ１５とで保持するフランジ１６とを設けてある。【００３９】
一方、前記パッキン５は、図２及び図３に示すように、前記容器口部３の先端部分３ａに当接してこれを覆う略円板状の天板１７と、この天板１７から垂下し、前記容器口部３の内周面に密着する環状（略円筒状）の中足１８とを同心状に備えている。また、図２に示すように、前記天板１７の外周縁には、天板１７に対して下方へ折れ曲がり、その内周面が容器口部３の外周面を覆う環状の折曲部１９が連設されている。【００４０】
また、前記パッキン５は、図２に示すように、キャップ本体４の上部の内部に嵌め込まれている。すなわち、パッキン５の外径は、キャップ本体４の雌ねじ９の山部の内径よりも大きく、谷部の内径よりも小さくなっていて、パッキン５の周縁部がキャップ本体４の雌ねじ９の上部に係止するように構成してある。【００４１】
そして、本実施形態では、前記容器口部２に対してキャップ１を装着するために、キャップ本体４の雌ねじ９（図２参照）を容器口部３の雄ねじ１０（図１（Ｂ）及び図２参照）に螺合させた上で、キャップ本体４に図１（Ａ）の矢印Ｔ方向の回転力を加える。この際、キャップ本体４は図１（Ａ）において下向きに螺進し、やがてバンド１３の各係止片１４（図２参照）は、容器口部３の雄ねじ１０の下方のストッパ１５（図１（Ｂ）及び図２参照）に当接し、ストッパ１５により拡径方向に弾性変形するようにガイドされることによりストッパ１５を乗り越え、その後、係止片１４は初期の状態に弾性復帰する。以上により、キャップ１の装着は完了する。【００４２】
この装着状態（閉栓状態）においては、パッキン５の中足１８は容器口部３の内周面３ｂ（図２参照）に密着し、パッキン５の中足１８と折曲部１９との間にあるフランジ部分２０（図２及び図３参照）は容器口部３の先端部分（先端面）３ａに密着し、パッキン５の折曲部１９は容器口部３の外周面３ｃ（図１（Ｂ）及び図２参照）に密着する。尚、図２では、容器口部３に未装着時のキャップ１を実線で示し、このキャップ１を装着する容器２の一部を仮想線（二点鎖線）で示してある。ここで、容器口部３に装着した状態のキャップ１は、容器口部３の内周面によって内向きに付勢された中足１８が弾性変形して縮径した状態となる（図示していない）。【００４３】
そして、容器口部３に装着したキャップ１のキャップ本体４に対して図１（Ａ）の矢印Ｌ方向の回転力を加えることにより開栓することができ、このとき、容器口部３のストッパ１５に係止する係止片１４を有するバンド１３は容器口部３に残留し、キャップ１においてバンド１３を除く部位（パッキン５も含む）のみが前記矢印Ｌ方向の回転力により容器口部３から螺脱する。したがって、最初の開栓時に前記バンド１３とスカート壁７をつなぐブリッジ１２が全て破断することになる。【００４４】
次に、本実施形態の特徴的構成について述べる。【００４５】
まず、前記キャップ本体４は、閉栓状態（雄ねじ１０に対する雌ねじ９の螺着を完了した状態）において前記パッキン５の折曲部１９の外周面を付勢する付勢部２１を有し、前記付勢を受けた折曲部１９は弾性変形して容器口部３の外周面３ｃに押し付けられるように構成してある。そのため、容器口部３に対する折曲部１９の嵌合を一層強めることができるので、密封性の向上を図ることができる。【００４６】
ここで、前記付勢部２１は、図２に示すように、キャップ本体４の前記天壁６の下面からスカート壁７の内面にかけて設けられたキャップ本体４の内側に突出する突出部分である。そして、この実施形態では、前記パッキン５の折曲部１９の外周面が下方に向かって外広がりに傾斜しているので、キャップ本体４の付勢部２１は、閉栓状態において折曲部１９を下向きに付勢することになり、この付勢力は上述のように折曲部１９を容器口部３の外周面３ｃに押し付ける力に変換されることになる。【００４７】
尚、前記折曲部１９は、前記付勢部２１に付勢されていない状態（開栓状態）で前記容器口部３の外周面３ｃに当接していなくてもよいし、当接していてもよい。前者の場合には、容器口部３に対するパッキン５の嵌め込み及び離脱がスムーズに行われるので、閉栓状態の密封性を高く維持しながら、キャップ１の良好な開閉をも実現することができる。また、後者の場合には、容器口部３に対してパッキン５が強力に嵌め込まれるので、キャップ１によって極めて高い密封性が得られることになる。【００４８】
また、前記パッキン５の天板１７の上面は、その中央部に設けられた凹入部（空気溜まり部）２２を除いて面一となっており、天板１７の肉厚の可能な限りの均一化を図っている。したがって、図７に示す従来のキャップでは、前記パッキン５の天板１７に環状凹入部５０や薄肉部５１が設けられているので、開栓時にバンド１３のブリッジ１２が破断した際の衝撃がパッキン５に伝わり難いため、その衝撃によって容器口部３からのパッキン５の離脱が促されず、容器口部３にパッキン５が残留し、このパッキン５からキャップ本体４の天壁６が開栓操作によって離れた後に容器２の内圧によってパッキン５が吹き飛ばされると、吹き飛ばされたパッキン５がキャップ本体４に衝突して異音を生じさせてしまい、開栓を行っている者を不快、不安にさせるおそれがある。しかし、本実施形態では、天板１７上面を面一として天板１７の肉厚の均一化を図ったことにより、上記衝撃によって容器口部３からのパッキン５の離脱を促すことができ、開栓時の異音の発生を防止することができる。【００４９】
さらに、前記中足１８の外周面に膨出部分２３が形成され、前記容器口部３の内周面において閉栓状態時に前記膨出部分２３が最も強く当接する位置（シールポイント）が、容器口部３の先端から２．０〜２．５ｍｍ下側に存在するように構成してある。すなわち、図３に示すように、前記中足１８の外周面において、鉛直方向に延びる基端部１８ａの下（先端）側に前記膨出部分２３を設けてある。ここで、この膨出部分２３は、その基端（起伏開始点）２３ａからその下方（先端側）にある最大径部（外径が最大となる部分）２３ｂに向かって外径が大きくなり、この最大径部２３ｂからその下方（先端側）にある先端（起伏終了点）２３ｃに向かって外径が小さくなるように構成してある。そして、上記のようにシールポイントを設定することにより、リーク角度（未開封状態のキャップ１の開栓開始時からリーク時までのキャップ本体４の回転量（開栓角度））が１７０°〜２５０°となり、ブリッジブレーク角度（未開封状態のキャップ１の開栓開始時からブリッジ１２の破断時までのキャップ本体４の回転量）は通常百数十度であるので、高いタンパーエビデンス性能が得られる。これは、原則として、タンパーエビデンス性能は、開栓の際のリークがブリッジの切断と同時かそれよりも後に生じることによって担保されるものであり、特に、リークの発生前にブリッジ１２が切断されればタンパーエビデンス性能が高いと評価することができるからである。すなわち、ＬＢ角度（リーク角度−ブリッジブレーク角度）が０°以上となればタンパーエビデンス性能が優れていると評価することができるので、そのようなＬＢ角度が得られるようにシールポイントの位置を設定すればよい。【００５０】
これに対して、前記折曲部１９は、その下端が、中足１８の外周面に形成された膨出部分２３の基端２３ａからその下方にある最大径部２３ｂまでの間に位置するように構成してある（図２、図３参照）。そして、この構成により、容器口部３に対するパッキン５の嵌着具合を好適化することが容易となる。これは、折曲部１９が短く、折曲部１９の下端が膨出部分２３の基端２３ａに達しないほどであると、容器口部３に対するパッキン５の着脱はスムーズに行えても閉栓状態における容器の密封性が不十分となり、逆に、折曲部１９が長く、折曲部１９の下端が膨出部分２３の最大径部２３ｂを越えるほどであると、閉栓状態における容器の密封性は十分となっても容器口部３に対するパッキン５の着脱がスムーズに行えなくなるおそれがあるからである。【００５１】
また、前記キャップ本体４の天壁６の肉厚ｔ（図２参照）は１．０ｍｍ以上とすることが望ましく、本実施形態では、天壁６の肉厚ｔを１．６ｍｍとしてある。すなわち、天壁６の肉厚ｔを大きくすることにより、容器２の内圧によって天壁６にドーミング現象が生じることを確実に防止することができる。【００５２】
また、前記パッキン５には、酸素吸収剤として１〜１０重量％の亜硫酸ナトリウムを含有させてある。これにより、密封後の容器２内に残存する酸素を速やかに吸収し、容器２の内容物の保存状態を長期間良好に保つことができる。【００５３】
一方、容器２には、全体にわたってガスバリア層を設けてある（図示していない）。具体的には、例えば容器２の内側あるいは外側にＤＬＣ（ダイアモンドライクカーボン）の層を形成（コーティング）することや、ＰＥＴ（ポリエチレンテレフタレート）とナイロンを積層した多層構造とすることによってガスバリア層を設けることができ、前者の場合にはＤＬＣ層、後者の場合にはナイロン層がガスバリア層となる。そして、このような構成によって、容器２のガスバリア性が極めて良好となるのであり、例えば、常温で保管した場合のガスロスは、標準で３ＧＶ（ガスボリューム）で行った場合、１％以下／月となる。【００５４】
次に、本キャップ１及び容器２の性能について述べる。【００５５】
まず、酸素吸収剤として亜硫酸ナトリウムを添加したパッキン５による酸素吸収性能をみるために、溶存酸素測定を行った。すなわち、この測定は、図４（Ａ）に示すように、低溶存酸素水生成器３０によって生成した低溶存酸素水を外部容器３１に満たし、この外部容器３１内に容器２を収容して前記低溶存酸素水を容器２に充填し、この充填後直ちに図４（Ｂ）に示すようにキャップを装着（キャッピング）し、図４（Ｃ）に示すように、得られたサンプルＳを所定の温度（２２℃）で保管して、各サンプルＳの内容物である水の溶存酸素量を４週間にわたって測定した。尚、容器２に装着するキャップとしては、パッキン５に酸素吸収剤として亜硫酸ナトリウムを５％添加して得られた本キャップ１と、前記酸素吸収剤を添加していない点でのみ本キャップ１と異なる従来キャップ１’とを用いた。上記測定の結果を図５に示す。ここで、図５のグラフは、縦軸に溶存酸素量（ｐｐｍ）、横軸に保管期間（週）をとったものであり、本キャップ１を装着したサンプルＳの結果を「５％添加」、従来キャップ１’を装着したサンプルＳの結果を「ナチュラル」として示している。【００５６】
図５から明らかなように、従来キャップ１’を装着した場合では４週目の溶存酸素量が０．３８ｐｐｍだったのに対して、本キャップ１を装着した場合では４週目の溶存酸素量が０．２ｐｐｍだったのであり、この差がパッキン５に含有させた亜硫酸ナトリウムの酸素吸収効果を示している。【００５７】
続いて、パッキン５に亜硫酸ナトリウムを含有させた本キャップ１から内容物中に溶出した亜硫酸ナトリウムの影響を調べるため、以下の測定を行った。すなわち、内容物（内容物としては酸性飲料、乳製品、発酵乳製品等が挙げられるが、本測定では酸性飲料）を充填した容器２としての２８０ｍＬ用ペットボトルに、亜硫酸ナトリウムを７％配合したパッキン５を有するキャップ１を装着した高配合サンプルと、５％配合したパッキン５を有するキャップ１を装着した標準配合サンプルとを用意し、それらを２０℃で保管して各サンプルの酸性飲料中の硫酸イオン濃度（ＳＯ2 換算値）を１２週間にわたって測定した。その結果を図６に示す。ここで、図６のグラフは、縦軸にＳＯ2 換算による硫酸イオン濃度（ｐｐｍ）、横軸に保管期間（週）をとったものであり、亜硫酸ナトリウムを７％配合したパッキン５を有するサンプルの結果を「高配合」、亜硫酸ナトリウムを５％配合したパッキン５を有するサンプルの結果を「標準配合」として示している。【００５８】
図６から明らかなように、標準配合サンプルでは１２週目の硫酸イオン濃度が３．９ｐｐｍ、高配合サンプルでも１２週目の硫酸イオン濃度が６．８ｐｐｍだったのであり、食品衛生規格では硫酸イオン濃度（ＳＯ2 換算値）が３０ｐｐｍ以下であることを求められていることを鑑みれば、本実施形態の亜硫酸ナトリウムが食品衛生面で問題が無いことが認められる。尚、亜硫酸ナトリウムは硫酸ナトリウムと同じく食品添加物であり、例えばビールやワインにも通常添加されているものであって、この点からもパッキン５に添加した亜硫酸ナトリウムは食品衛生面で問題が無いことは明らかである。【００５９】
尚、本発明は上記実施形態に限らず、種々に変形して実施することができる。【００６０】
例えば、上記実施形態では、前記折曲部１９の外周面が下方に向かって外広がりに傾斜しているとともに、付勢部２１が閉栓状態においてこの折曲部１９を下方に付勢するが、斯かる構成に限らず、折曲部１９の外周面を鉛直方向に延びる面とし、折曲部１９が閉栓状態においてこの折曲部１９を容器口部３の外周面３ｃに押し付けるように構成してあってもよい。【００６１】
また、酸素吸収剤としての亜硫酸ナトリウムは、パッキン５のみではなく、キャップ本体１、容器２に含有させることもできる。
【産業上の利用可能性】
【００６２】
本発明に係るキャップ及びこれを備えた容器は、高い密封性を備えているので、種々の飲料の収容に用いるキャップ及び容器に適用することができる。
【図１】
2009096019.tif 000003
【図２】
2009096019.tif 000004
【図３】
2009096019.tif 000005
【図４】
2009096019.tif 000006
【図５】
2009096019.tif 000007
【図６】
2009096019.tif 000008
【図７】
2009096019.tif 000009
【国際調査報告】
2009096019.tif 000010
2009096019.tif 000011
2009096019.tif 000012
2009096019.tif 000013